(57)【特許請求の範囲】
【請求項１】
直線状に配列された複数の発光素子と、前記複数の発光素子に電力を供給するリード部と、前記発光素子と発光素子との間に配置された中間反射面と、前記発光素子の発光面に対向して設けられた前記発光素子が発した光及び前記中間反射面で反射された光を反射する凹柱面状反射面とを具備し、
前記凹柱面状反射面は、前記発光素子が配列された直線を含む面で二分割され、その一方の凹柱面状反射面の長手方向における断面は前記発光素子の位置を中心とする略円形状に形成され、且つ他方の凹柱面状反射面の長手方向における断面は入射した光を反射して外部に放射するように形成されていることを特徴とする線状光源。
【請求項２】
前記他方の凹柱面状反射面は、反射した光を線状に集光するものであることを特徴とする請求項１記載の線状光源。
【請求項３】
前記リード部を前記一方の凹柱面状反射面の側から外部に引き出したことを特徴とする請求項１又は２記載の線状光源。
【請求項４】
前記複数の発光素子及び前記中間反射面と前記凹柱面状反射面との空間を、光透過性材料で充填したことを特徴とする請求項１乃至３記載の線状光源。
【請求項５】
前記リード部は回路パターンが形成された基板を含むものであり、前記複数の発光素子は前記基板の回路パターン上に取り付けられていることを特徴とする請求項１乃至４記載の線状光源。
【請求項６】
前記発光素子の配列方向における両側部に前記発光素子が発した光及び前記中間反射面で反射された光を反射する側部反射面を設けたことを特徴とする請求項１乃至５記載の線状光源。
【請求項７】
前記複数の発光素子として、赤色系の光を発する発光素子と、緑色系の光を発する発光素子と、青色系の光を発する発光素子とを用いたことを特徴とする請求項１乃至６記載の線状光源。
【発明の詳細な説明】
【０００１】
【発明の属する技術分野】
本発明は、発光素子を直線状に配置した線状光源に関するものである。
【０００２】
【従来の技術】
図５（ａ）は従来の線状光源の概略正面図、図５（ｂ）はその線状光源のＥ−Ｅ矢視方向概略断面図、図５（ｃ）はその線状光源のＦ−Ｆ矢視方向概略断面図、図６はその線状光源において発光素子の配列方向における照度分布を示す図である。尚、図５において、ｘ軸は発光素子の配列方向、ｙ軸は発光素子の発光面を含む平面においてｘ軸に直交する方向、ｚ軸はｘ軸及びｙ軸に直交する方向である。
【０００３】
図５に示す線状光源は、複数の発光素子５２と、複数のリード５４ａ，５４ｂと、複数のワイヤ５６と、光透過性材料５８と、発光素子５２の発光面に対向して形成された凹面状反射面６２と、発光素子５２の背面側に形成された放射面６４とを有するものである。複数の発光素子５２は発光面を同じ方向に向けて直線状に配列される。各発光素子５２は一方のリード５４ａ上にマウントされ、発光素子５２と他方のリード５４ｂとはワイヤ５６により電気的に接続されている。また、発光素子５２、リード５４ａ，５４ｂの先端部及びワイヤ５６は光透過性材料５８により封止されている。凹面状反射面６２は、光透過性材料５８の下面をメッキや金属蒸着等により鏡面加工したものである。ここでは、凹面状反射面６２を柱面状に形成し、そのｙ−ｚ平面での切断面を略楕円形状としている。そして、凹面状反射面６２に近い方の焦点には発光素子５２の発光面の中心を配置している。一方、光透過性材料５８の上面は平面状に形成された放射面６４である。
【０００４】
発光素子５２に電力が供給されると、発光素子５２が発光し、発光素子５２が発する光は凹面状反射面６２によって反射され、放射面６４から外部に放射される。特に、ｙ−ｚ平面による凹面状反射面６２の切断面が略楕円形状に形成され、その凹面状反射面６２の一の焦点に発光素子５２の発光面の中心を配置しているので、放射面６４を通過した光は所定領域へ集光される。
【０００５】
【発明が解決しようとする課題】
ところで、従来の線状光源では、発光素子５２の配列方向（ｘ軸方向）における照度分布が図６に示すようになる。ここで、破線は各発光素子５２が発する光の照度分布を示し、実線は線状光源全体についての照度分布を示す。図６からわかるように、各発光素子５２が発する光の照度分布はあまり広い範囲に及ばない。このため、たとえば、一の発光素子が他のものに比べて特性が劣っていたり早く劣化したりすると、均斉度が著しく低下し、線状光源として使いものにならなくなる。このように、従来の線状光源では、十分な均斉度を得ることが困難であるという問題があった。
【０００６】
本発明は上記事情に基づいてなされたものであり、均斉度の向上を図ることができる線状光源を提供することを目的とするものである。
【０００７】
【課題を解決するための手段】
上記の目的を達成するための請求項１記載の発明に係る線状光源は、直線状に配列された複数の発光素子と、前記複数の発光素子に電力を供給するリード部と、前記発光素子と発光素子との間に配置された中間反射面と、前記発光素子の発光面に対向して設けられた前記発光素子が発した光及び前記中間反射面で反射された光を反射する凹柱面状反射面とを具備し、前記凹柱面状反射面は、前記発光素子が配列された直線を含む面で二分割され、その一方の凹柱面状反射面の長手方向における断面は前記発光素子の位置を中心とする略円形状に形成され、且つ他方の凹柱面状反射面の長手方向における断面は入射した光を反射して外部に放射するように形成されていることを特徴とするものである。
【０００８】
請求項２記載の発明に係る線状光源は、請求項１記載の発明において、前記他方の凹柱面状反射面は、反射した光を線状に集光するものであることを特徴とするものである。
請求項３記載の発明に係る線状光源は、請求項１又は２記載の発明において、前記リード部を前記一方の凹柱面状反射面の側から外部に引き出したことを特徴とするものである。
【０００９】
請求項４記載の発明に係る線状光源は、請求項１乃至３記載の発明において、前記複数の発光素子及び前記中間反射面と前記凹柱面状反射面との空間を、光透過性材料で充填したことを特徴とするものである。
請求項５記載の発明に係る線状光源は、請求項１乃至４記載の発明において、前記リード部は回路パターンが形成された基板を含むものであり、前記複数の発光素子は前記基板の回路パターン上に取り付けられていることを特徴とするものである。
【００１０】
請求項６記載の発明に係る線状光源は、請求項１乃至５記載の発明において、前記発光素子の配列方向における両側部に前記発光素子が発した光及び前記中間反射面で反射された光を反射する側部反射面を設けたことを特徴とするものである。
請求項７記載の発明に係る線状光源は、請求項１乃至６記載の発明において、前記複数の発光素子として、赤色系の光を発する発光素子と、緑色系の光を発する発光素子と、青色系の光を発する発光素子とを用いたことを特徴とするものである。
【００１１】
【作用】
請求項１記載の発明は上記の構成によって、一方の凹柱面状反射面の長手方向における断面を発光素子の位置を中心とする略円形状に形成したことにより、発光素子が発した光のうち一方の凹柱面状反射面に入射する光は、一方の凹柱面状反射面で反射された後、発光素子が配列された直線上に入射する。このうち中間反射面に入射した光は、反射面で乱反射され、凹面状反射面に向かって進む。ここで、中間反射面は発光素子と発光素子との間に配置されているので、この中間反射面で反射された光はあたかも各発光素子から発された光であるかのように振る舞う。このため、中間反射面で反射された光のうち一方の凹柱面状反射面に入射する光は、再度、一方の柱面状反射面で反射された後、発光素子が配列された直線上に入射することになる。一方、中間反射面で反射した光のうち他方の凹柱面状反射面に入射する光は、他方の凹柱面状反射面で反射された後、外部に放射される。
【００１２】
【発明の実施の形態】
以下に、本発明の第一実施形態について図面を参照して説明する。図１（ａ）は本発明の第一実施形態である線状光源の概略正面図、図１（ｂ）はその線状光源のＡ−Ａ矢視方向概略断面図、図１（ｃ）はその線状光源のＢ−Ｂ矢視方向概略断面図である。
【００１３】
図１に示す線状光源は、複数の発光素子１２と、リード部としての複数のリード１４ａ，１４ｂと、複数のワイヤ１８と、光透過性材料２２と、第一凹柱面状反射面２４と、中間反射面２６と、第二凹柱面状反射面２８と、側部反射面３２と、放射面３４とを備えるものである。複数の発光素子１２は、図１（ｃ）において、発光面を下側に向けて一定間隔で直線状に配列される。ここでは、発光素子１２として単色のものを用いている。尚、図１において、ｘ軸は発光素子１２の配列方向、ｙ軸は発光素子１２の発光面を含む平面においてｘ軸に直交する方向、ｚ軸はｘ軸及びｙ軸に直交する方向である。
【００１４】
リード１４ａ，１４ｂは、発光素子１２に電力を供給するためのものであり、各発光素子１２毎に設けられている。リード１４ａ，１４ｂの材料には銅合金や鉄合金等の金属を用い、リード１４ａ，１４ｂの表面には銀メッキ処理を施している。発光素子１２は一方のリード１４ａ上にマウントされ、発光素子１２と他方のリード１４ｂとはワイヤ１８により電気的に接続されている。このとき、ワイヤ１８はリード１４ｂの先端部以外の部分に接続される。これらのリード１４ａ，１４ｂはともに第一凹柱面状反射面２４の側から外部に引き出されている。また、発光素子１２、リード１４ａ，１４ｂの一部及びワイヤ１８は、光透過性材料２２により一体的に封止されている。
【００１５】
中間反射面２６は、複数の発光素子１２が配列された直線上付近であって各発光素子１２の間に配置される。第一実施形態では、中間反射面２６として、リード１４ｂの先端部の表面を利用することにしている。このリード１４ｂの先端部はＴ字状に形成され、また、中間反射面は、発光素子１２の発光面と略同一平面上に位置するように配置される。一般に、中間反射面２６は、高反射率を有する材料で形成されるが、この中間反射面２６の性質としては、光を正反射するものであってもよいし、乱反射するものであってもよい。特に、望ましいのは、入射する光を、ある程度正反射すると共に、ある程度乱反射するものである。第一実施形態では、リード１４ｂに銀メッキ処理を施して、中間反射面２６に、かかる望ましい性質を付与している。尚、リード１４ｂの先端部以外の部分にワイヤ１８を接続するのは、中間反射面２６で光を有効に反射することができるようにするためである。
【００１６】
第一凹柱面状反射面２４及び第二凹柱面状反射面２８は、光透過性材料２２の裏面上にメッキや金属蒸着等により鏡面加工したものであり、発光素子１２の発光面側に形成されている。また、かかる第一凹柱面状反射面２４及び第二凹柱面状反射面２８の中心軸をそれぞれ、発光素子１２の配列方向（ｘ軸方向）に平行としている。図１（ｃ）に示すように、第一凹柱面状反射面２４はｘ軸を含みｙ軸に垂直な平面に対して右側に形成され、第二凹柱面状反射面２８はその平面に対して左側に形成される。
【００１７】
側部反射面３２は、発光素子１２の配列方向（ｘ軸方向）における光透過性材料２２の両端の側面に第一凹柱面状反射面２４及び第二凹柱面状反射面２８と同様の鏡面加工を施したものである。また、放射面３４は、光透過性材料２２の前面を平面状に加工したものであり、発光素子１２の背面側に設けられている。
また、第一実施形態の第一凹柱面状反射面２４の形状は、発光素子１２が発した光を発光素子１２が配列された直線上に反射するように設計している。すなわち、第一凹柱面状反射面２４の中心軸を発光素子１２が配列された直線と同一にし、第一凹柱面状反射面２４のｙ−ｚ平面での切断面を円形状としている。一方、第二凹柱面状反射面２８の形状は、発光素子１２が発した光及び中間反射面２６で反射された光が第二凹柱面状反射面２８で反射した後に、被照射面において所定の照射幅をもって集光するように設計している。この設計の際には、発光素子１２の点光源からのズレ、第二凹柱面状反射面２８で反射した光が放射面３４で屈折して外部に放射されることを考慮する必要がある。たとえば、本発明者等は、第二凹柱面状反射面２８のｙ−ｚ平面での切断面を、１０次関数
ｚ＝ａ０  ＋ａ１  ×ｙ＋ａ２  ×ｙ２  ＋・・・・＋ａ９  ×ｙ９  ＋ａ１０×ｙ１０
で求めている。ここで、各係数ａｋ  （ｋ＝０，１，２，・・・  ，９，１０）は、発光素子から発された光が所定の照射領域に集光するような１１個の反射位置をコンピュータ解析によって求め、この求めた反射位置を上記１０次関数に代入することにより決定される。尚、一般には、６次以上の関数を用いて第二凹面状反射面の形状を設計することが望ましい。
【００１８】
次に、このように構成された線状光源の発光素子から発せられた光の光路について説明する。図２（ａ）はその線状光源の一の発光素子から発せられた光のｙ−ｚ平面における光路を示す図、図２（ｂ）はその線状光源の一の発光素子から発せられた光のｘ軸を含む平面における光路を示す図である。ここでは、一の発光素子１２ａから発せられた光に着目する。
【００１９】
まず、一の発光素子１２ａに電力が供給されると、発光素子１２ａの発光面が発光し、発光面の中心軸に対して角度が略９０度以内であるすべての方向に向かって光が放射される。このとき、発光素子１２ａが発する光のうち第二凹柱面状反射面２８に入射する光Ｌ２  は、図２（ａ）に示すように、第二凹柱面状反射面２８で反射された後、放射面３４で屈折し、被照射面Ｓにおいて所定の照射幅をもって集光する。
【００２０】
一方、発光素子１２ａが発する光のうち第一凹柱面状反射面２４に入射する光Ｌ１  は、第一凹柱面状反射面２４で反射された後、発光素子が配列された直線上に入射する。このうち中間反射面２６に入射した光Ｌ１１は、図２（ｂ）に示すように、中間反射面２６で乱反射され、第一凹柱面状反射面２４及び第二凹柱面状反射面２８に向かって進む。ここで、中間反射面２６は発光素子が配列された直線上であって各発光素子の間に配置されているので、この中間反射面２６で反射された光はあたかも発光素子から発された光であるかのように振る舞う。すなわち、中間反射面２６は擬似的な発光源となる。このため、中間反射面２６で反射した光Ｌ１１のうち第一凹柱面状反射面２４に入射する光は、再度、第一凹柱面状反射面２４で反射された後、発光素子が配列された直線上に入射することになる。一方、中間反射面２６で反射した光Ｌ１１のうち第二凹柱面状反射面２８に入射する光は、第二凹柱面状反射面２８で反射された後、放射面３４より外部に放射される。このとき、中間反射面２６は発光素子が配列された直線上に位置するので、この外部に放射された光は、発光素子が発する光のうち第二凹柱面状反射面２８で反射されて外部に放射される光Ｌ２  と同様に、被照射面Ｓにおいて所定の照射幅をもって集光することになる。
【００２１】
次に、第一実施形態の線状光源が発する光の照度特性について説明する。図３はその線状光源において発光素子の配列方向（ｘ軸方向）における照度分布を示す図である。図３において、破線は各発光素子１２が発する光の照度分布を示し、実線は線状光源全体についての照度分布を示す。上述のように、中間反射面２６は擬似的な発光源となり、各中間反射面２６には、多数の発光素子１２から発せられた光が第一凹柱面状反射２４を介して入射することになるので、各発光素子１２が発する光の照度分布は、図６に示す従来の線状光源において各発光素子が発する光の照度分布に比べて、はるかに緩やかな山状となり、ｘ軸方向の広い範囲に及ぶ。線状光源全体についての照度分布は、これらの各発光素子１２が発する光の照度分布を加えることにより得られる。このため、第一実施形態の線状光源では、各ｘ座標位置における照度には多数の発光素子１２からの光が寄与する。
【００２２】
第一実施形態の線状光源では、発光素子が発した光を発光素子が配列された直線上に反射する第一凹柱面状反射面と、発光素子が配列された直線付近に配置された中間反射面とを設けたことにより、中間反射面が擬似的な発光源となり、各発光素子が発する光のｘ軸方向における照度分布が広い範囲に及ぶので、均斉度の向上を図ることができる。したがって、たとえば、一の発光素子の特性が劣っていたり、早く劣化したりして、その出力が他の発光素子の出力に比べて非常に低下した場合でも、その一の発光素子の出力低下を他の発光素子によってカバーすることができる。また、発光素子の配列間隔を従来のものよりも広くしても、従来と同様の均斉度を得ることができる。
【００２３】
また、発光素子から第一凹柱面状反射面の側に放射された光は、第一凹柱面状反射面で反射された後に発光素子が配列された直線上に入射し、このうち中間反射面で反射された後に第二凹柱面状反射面の側に進行する光は、第二凹柱面状反射面で反射されて外部に放射される。したがって、放射面のうち図１（ｃ）の矢印Ｒの範囲からのみ外部に光が放射され、リードを引き出した側からは光が外部に放射されないので、リードによって照射光量密度にムラが生じるのを防止することができる。また、リードによって、発光素子が発した光を遮光し、外部放射効率が低下するのを防止することができる。しかも、中間反射面は発光素子が配列された直線上付近に配置されているので、中間反射面で反射された光のうち第二凹柱面状反射面に入射する光は、発光素子から第二凹柱面状反射面の側に放射された光と同様に、第二凹柱面状反射面で制御されて所定の照射領域に照射されるので、照射光量密度の向上を図ることができる。
【００２４】
更に、発光素子の配列方向における両側部に側部反射面を設けたことにより、発光素子が発した光及び中間反射面で反射した光のうち側部反射面に入射する光は、側部反射面で反射されて内部に戻るので、かかる光も放射面から放射して、被照射面に到達することになる。このため、側部反射面で反射された光を有効に利用することができると共に、線状光源の端部における照度の低下を抑えることができる。
【００２５】
尚、第一実施形態では、発光素子を光透過性材料で封止しているため、発光素子内から光透過性材料への光の取り出し効率は向上するが、一方で、発光素子が発する光の中には、放射面で全反射されて外部に放射されないものが存在する。しかしながら、放射面で全反射される角度をもった光でも、中間反射面に入射すると、中間反射面で乱反射される。このため、その一部は放射面から外部に取り出すことが可能となり、これにより光の取り出し効率の向上を図ることができる。
【００２６】
次に、本発明の第二実施形態について図面を参照して説明する。図４（ａ）は本発明の第二実施形態である線状光源の概略正面図、図４（ｂ）はその線状光源のＣ−Ｃ矢視方向概略断面図、図４（ｃ）はその線状光源のＤ−Ｄ矢視方向概略断面図である。尚、第二実施形態において、第一実施形態のものと同一の機能を有するものには、同一の符号を付すことによりその詳細な説明を省略する。
【００２７】
第二実施形態の線状光源は、複数の発光素子１２と、リード部としての基板１６と、複数のワイヤ（不図示）と、第一凹柱面状反射面２４と、中間反射面２６ａと、第二凹柱面状反射面２８と、側部反射面３２と、放射面３４ａとを備えるものである。第二実施形態の線状光源が第一実施形態のものと異なる主な点は、リード部として基板１６を用いた点である。基板１６の裏面には回路パターン１７が形成されている。発光素子１２はこの回路パターン１７上にマウントされ、図示しない他の回路パターンとはワイヤにより電気的に接続されている。ここで、基板１６には、ガラスエポキシ基板やセラミック基板等が用いられる。また、中間反射面２６ａとしては、基板１６上に印刷、メッキ、蒸着、貼り付け等により形成した高い反射率を有する材料を用いる。この中間反射面２６ａは、一般には、鏡面であっても白色であっても構わない。尚、中間反射面２６ａとして、他の反射部材を基板１６上にマウントしたものや、基板１６上に樹脂成形したものを用いてもよい。
【００２８】
第二実施形態では、発光素子１２及び中間反射面２６ａと第一凹柱面状反射面２４及び第二凹柱面状反射面２８との空間を、光透過性材料で充填せず、中空としている。また、放射面３４ａは透明な板状のものであり、中空部にゴミ等が入らないようにするためのカバーとして用いられる。そして、発光素子１２の周辺をスプレーコート処理することにより、物理的な強度を高めると共に、発光素子１２の防湿を図っている。また、第二実施形態では、線状光源の内部が中空であるため、放射面での界面屈折を考慮する必要がなくなるので、第二凹柱面状反射面２８の形状は第一実施形態のものとやや異なる。その他の構成は上記第一実施形態と同様である。
【００２９】
第二実施形態の線状光源でも、発光素子が発した光を発光素子が配列された直線上に反射する第一凹柱面状反射面と、発光素子が配列された直線上付近に配置された中間反射面とを設けたことにより、上記第一実施形態のものと同様に、均斉度及び照射光量密度の向上を図ることができる。
特に、第二実施形態では、発光素子及び中間反射面と第一凹柱面状反射面及び第二凹柱面状反射面との空間を中空としたことにより、発光素子の配列方向の長さが長い線状光源を容易に作製することができるという利点がある。発光素子の配列方向の長さが長い線状光源を作製する場合、発光素子及び中間反射面と第一凹柱面状反射面及び第二凹柱面状反射面との空間を光透過性材料等の樹脂で充填すると、樹脂封止する際に樹脂が収縮して歪みが生じ、長手方向の直線性が悪くなると共に、発光素子の寿命が低下してしまうからである。
【００３０】
尚、本発明は上記の各実施形態に限定されるものではなく、その要旨の範囲内において種々の変形が可能である。
たとえば、上記の第二実施形態において、発光素子の代わりにチップＬＥＤを用いてもよい。チップＬＥＤとは、発光素子が透明樹脂により封止され、電極を有し、表面実装できる電子部品である。
【００３１】
また、上記の第二実施形態では、発光素子及び中間反射面と第一凹柱面状反射面及び第二凹柱面状反射面との空間を中空とした場合について説明したが、かかる空間を光透過性材料で充填するようにしてもよい。
更に、上記の各実施形態では、単色の発光素子を用いる場合について説明したが、赤色系の光を発する発光素子、緑色系の光を発する発光素子、青色系の光を発する発光素子を用いて、フルカラーの線状光源を形成するようにしてもよい。この場合、各色の発光素子毎に高い均斉度を有することが必要とされる。単純に考えても、単色の発光素子を用いた場合と同様の均斉度を持つようにするためには、三原色の発光素子を従来の三倍の密度で搭載しなければならない。しかしながら、発光素子の配列間隔をあまりに狭くすると、発熱により相互作用を受けやすく、発光素子の出力が低下したり、劣化しやすくなるという問題がある。また、線状光源では、一つの発光素子が劣化しても不良品となるため、搭載する発光素子が多くなれば、それだけ歩留りが悪くなるという問題もある。本発明の線状光源では、均斉度及び照射光量密度の向上を図ることができるため、三原色の発光素子の配列間隔を従来のものよりも広くすることができ、したがって、上記の問題点を解消して、容易にフルカラー化を実現することができる。しかも、たとえば、ある色の発光素子の光量が他の色の発光素子の光量に比べて不足している場合には、光量の不足している発光色の発光素子を連続して並べることができるという利点もある。
【００３２】
【発明の効果】
以上説明したように請求項１記載の発明によれば、発光素子と発光素子との間に配置された中間反射面と、発光素子が発した光及び中間反射面で反射された光を反射する凹柱面状反射面とを有し、凹柱面状反射面を発光素子が配列された直線を含む面で二分割し、その一方の凹柱面状反射面の長手方向における断面を発光素子の位置を中心とする略円形状に形成し、且つ他方の凹柱面状反射面の長手方向における断面を入射した光を反射して外部に放射するように形成したことにより、中間反射面が擬似的な発光源となり、各発光素子が発する光の照度分布が広い範囲に及ぶので、均斉度の向上を図ることができると共に、中間反射面で反射された光のうち他方の凹柱面状反射面に入射する光も、発光素子から他方の凹柱面状反射面の側に放射された光と同様に、所定の照射領域に照射することができるので、照射光量密度の向上を図ることができる線状光源を提供することができる。
【図面の簡単な説明】
【図１】（ａ）は本発明の第一実施形態である線状光源の概略正面図、（ｂ）はその線状光源のＡ−Ａ矢視方向概略断面図、（ｃ）はその線状光源のＢ−Ｂ矢視方向概略断面図である。
【図２】（ａ）はその線状光源の一の発光素子から発せられた光のｙ−ｚ平面における光路を示す図、（ｂ）はその線状光源の一の発光素子から発せられた光のｘ軸を含む平面における光路を示す図である。
【図３】その線状光源において発光素子の配列方向における照度分布を示す図である。
【図４】（ａ）は本発明の第二実施形態である線状光源の概略正面図、（ｂ）はその線状光源のＣ−Ｃ矢視方向概略断面図、（ｃ）はその線状光源のＤ−Ｄ矢視方向概略断面図である。
【図５】（ａ）は従来の線状光源の概略正面図、（ｂ）はその線状光源のＥ−Ｅ矢視方向概略断面図、（ｃ）はその線状光源のＦ−Ｆ矢視方向概略断面図である。
【図６】その線状光源において発光素子の配列方向における照度分布を示す図である。
【符号の説明】
１２    発光素子
１４ａ，１４ｂ    リード
１６    基板
１７    回路パターン
１８    ワイヤ
２２    光透過性材料
２４    第一凹柱面状反射面
２６，２６ａ    中間反射面
２８    第二凹柱面状反射面
３２    側部反射面
３４，３４ｂ    放射面
【図１】
0003600973.tif 000002
【図２】
0003600973.tif 000003
【図３】
0003600973.tif 000004
【図４】
0003600973.tif 000005
【図５】
0003600973.tif 000006
【図６】
0003600973.tif 000007